(57)【特許請求の範囲】
【請求項１】
導体の外周が外周絶縁体で被覆された少なくとも１つの信号線と、複数のグラウンド線とが平面的に連接されて構成されたフラットケーブルと、
前記フラットケーブルの上下に密着されたシールド材と、
を備えた高速伝送が可能なシールド付きフラットケーブルにおいて、
前記グラウンド線は、導体の外周が導電性樹脂で被覆されて形成され、
平衡伝送用として、中央部に２つの信号線が並べて配置され、これらの両側に前記グラウンド線がそれぞれ配置されて基本ユニットが構成され、
前記基本ユニットが複数回並列に並べて配置されて、隣接する前記基本ユニットの対向する側部に位置する前記グラウンド線が２本並べて配置され、かつ隣接する前記信号線の外周絶縁体同士が接着または融着され、
前記フラットケーブルの幅方向両側に前記グラウンド線がそれぞれ配置され、かつ前記グラウンド線が前記上下のシールド材と電気的に接続されている、
ことを特徴とする高速伝送が可能なシールド付きフラットケーブル。
【請求項２】
導体の外周が外周絶縁体で被覆された少なくとも１つの信号線と、複数のグラウンド線とが平面的に連接されて構成されたフラットケーブルと、
前記フラットケーブルの上下に密着されたシールド材と、
を備えた高速伝送が可能なシールド付きフラットケーブルにおいて、
前記グラウンド線は、導体の外周が導電性樹脂で被覆されて形成され、
不平衡伝送用として、中央部に配置した１つの信号線の両側に前記グラウンド線がそれぞれ配置されて基本ユニットが構成され、
前記基本ユニットが複数回並列に並べて配置されて、隣接する前記基本ユニットの対向する側部に位置する前記グラウンド線が２本並べて配置され、
前記フラットケーブルの幅方向両側に前記グラウンド線がそれぞれ配置され、かつ前記グラウンド線が前記上下のシールド材と電気的に接続されている、
ことを特徴とする高速伝送が可能なシールド付きフラットケーブル。
【請求項３】
前記フラットケーブルの末端部は、前記上下のシールド材が圧接型コネクタを接続するのに必要な量を剥ぎ取られ、かつ内在する前記フラットケーブルの前記基本ユニットの隣接する前記グラウンド線の接着または融着している前記導電性樹脂同士が長手方向に引き裂かれて分岐され、前記分岐された末端部毎に圧接型コネクタが一括圧接接続された、
ことを特徴とする請求項１又は２に記載の高速伝送が可能なシールド付きフラットケーブル。
【請求項４】
前記信号線は、前記導体と前記外周絶縁体との間に、前記外周絶縁体とは誘電率が異なる特性インピーダンスを調整するための中間絶縁体が形成された、
ことを特徴とする請求項１乃至３のいずれか１つに記載された高速伝送が可能なシールド付きフラットケーブル。
【発明の詳細な説明】
【技術分野】
【０００１】
本発明は、高速伝送が可能なシールド付きフラットケーブルに関する。
【背景技術】
【０００２】
現在、画像装置の機器内の高速配線用に多心で短尺・高速の配線材としてフラットケーブルの適用が増加している。フラットケーブルとしては、ＦＰＣ（フレキシブル  プリンテッド  サーキット）やＦＦＣ（フレキシブル  フラット  ケーブル）があるが、分岐や端末加工を考慮した取り扱いの容易性、コネクタ部の信頼性、価格面から従来のフラットケーブルの適用について検討がされている。従来のシールド形フラットケーブルとしては、例えば、実開平５−１１２１７号公報に開示されているものがある。
【発明の概要】
【０００３】
図１０は、従来のシールド形フラットケーブル１′の構造断面図である。図１０に示すように、従来のシールド形フラットケーブル１′は、シールド材７′の外側に絶縁性のシース９′で被覆された構造であるので、圧接型コネクタを取り付ける際、シース９′を取り除かなければならず、端末処理作業に時間がかかり、加工工数がかかるという欠点があった。
【０００４】
また、従来のシールドフラットケーブル１′は、外周シールド７′が施されていることとグラウンド線がシールド７′と電気的に接続されていないので、グラウンド線とシールド７′との電気的接続加工の面で、端末加工性に難がある。また、グラウンド線を介してシールド７′と接続されていないため、各平衡対シールドおよび擬似同軸を構成できないので、高周波特性が劣るという問題があった。
【０００５】
さらに、従来のシールドフラットケーブル１′は、グラウンド線に導電性樹脂を使用していないため、グラウンド線を介して上下のシールド材７′とグラウンド線とが電気的に接続されておらず、信号線をシールド７′で覆った構造ではないので、特性インピーダンス整合、特性インピーダンスのバラツキ、線間・層間漏話、放射ノイズに問題があった。このように、従来のフラットケーブル１′をそのまま高速領域で適用するには、特性インピーダンス整合、特性インピーダンスのバラツキ、端末加工性、線間・層間漏話、放射ノイズのなどの問題を解決しなければ、使用できないという課題があった。
【０００６】
そこで、本発明は上記問題を解消し、シースを省いて、シールド材のみでフラットケーブルが絶縁される高速伝送が可能なシールド付きフラットケーブルを提供することを目的とする。
【０００７】
請求項１に係る高速伝送が可能なシールド付きフラットケーブルは、導体の外周が外周絶縁体で被覆された少なくとも１つの信号線と、複数のグラウンド線とが平面的に連接されて構成されたフラットケーブルと、前記フラットケーブルの上下に密着されたシールド材とを備えたものであって、前記グラウンド線は、導体の外周が導電性樹脂で被覆されて形成され、平衡伝送用として、中央部に２つの信号線が並べて配置され、これらの両側に前記グラウンド線がそれぞれ配置されて基本ユニットが構成され、前記基本ユニットが複数回並列に並べて配置されて、隣接する前記基本ユニットの対向する側部に位置する前記グラウンド線が２本並べて配置され、かつ隣接する前記信号線の外周絶縁体同士が接着または融着され、前記フラットケーブルの幅方向両側に前記グラウンド線がそれぞれ配置され、かつ前記グラウンド線が前記上下のシールド材と電気的に接続されている、ことを特徴とするものである。
【０００８】
請求項２に係る高速伝送が可能なシールド付きフラットケーブルは、導体の外周が外周絶縁体で被覆された少なくとも１つの信号線と、複数のグラウンド線とが平面的に連接されて構成されたフラットケーブルと、前記フラットケーブルの上下に密着されたシールド材とを備えたものであって、前記グラウンド線は、導体の外周が導電性樹脂で被覆されて形成され、不平衡伝送用として、中央部に配置した１つの信号線の両側に前記グラウンド線がそれぞれ配置されて基本ユニットが構成され、前記基本ユニットが複数回並列に並べて配置されて、隣接する前記基本ユニットの対向する側部に位置する前記グラウンド線が２本並べて配置され、前記フラットケーブルの幅方向両側に前記グラウンド線がそれぞれ配置され、かつ前記グラウンド線が前記上下のシールド材と電気的に接続されている、ことを特徴とするものである。
【０００９】
請求項３に係る高速伝送が可能なシールド付きフラットケーブルは、請求項１又は２に係る高速伝送が可能なシールド付きフラットケーブルの末端が、前記上下のシールド材が圧接型コネクタを接続するのに必要な量を剥ぎ取られ、かつ内在する前記フラットケーブルの前記基本ユニットの隣接する前記グラウンド線の接着または融着している前記導電性樹脂同士が長手方向に引き裂かれて分岐され、前記分岐された末端部毎に圧接型コネクタが一括圧接接続された構成としたものである。
【００１０】
請求項４に係る高速伝送が可能なシールド付きフラットケーブルは、請求項１乃至３のいずれか１つに係る高速伝送が可能なシールド付きフラットケーブルの信号線が、前記導体と前記外周絶縁体との間に、前記外周絶縁体とは誘電率が異なる特性インピーダンスを調整するための中間絶縁体が形成された構成としたものである。
【００１１】
【００１２】
【００１３】
【００１４】
請求項１に係る発明によれば、フラットケーブルの両側のグラウンド線が上下のシールド材に電気的に接続されることで外部ノイズに対して上下左右が絶縁されるため、シールド材のみでフラットケーブルが絶縁される。従って、従来に比べてフラットケーブルを外覆していた絶縁性のシースを省くことができる。また、シースを設けていないので、フラットケーブルに圧接型コネクタを端末加工する際、末端部分の上下のシールド材の必要量を剥ぎ取るだけでよい。また、従来のケーブルは、圧接型コネクタと端末加工をする際、外周シールドとシースが施されているので、シースを剥ぎ取り、外周シールドを剥ぐなどのシールド処理をする必要があり、端末加工性に難があるのに対して、本発明は、グラウンド線を介してシールドと接続されているので、グラウンド線とシールド材との電気的接続加工をしなくて済むので、取り扱いが容易であって作業時間を短縮できる。
【００１５】
また、平衡伝送用の場合、基本ユニットＧＳＳＧの配列で並列化することにより、グラウンド線を介して上下のシールド材が接続するので、各平衡対シールド線を容易に構成することができる。
【００１６】
請求項２に係る発明によれば、請求項１に係る発明が奏する効果に加えて、不平衡伝送用の場合、基本ユニットＧＳＧの配列で並列化ことにより、グラウンド線を介して上下のシールド材が接続するので、擬似同軸線を容易に構成することができる。
【００１７】
【００１８】
請求項３に係る発明によれば、フラットケーブルに圧接型コネクタを端末加工する際、引き裂いて分岐した部分に圧接型コネクタで接続すればよい。また、残された部分の両方のグラウンド線とシールド材の電気的接続加工をしなくて済むので、従来のケーブルに比べて、取り扱いが容易であって作業時間を短縮でき、基本ユニットの整数倍単位でケーブルを分岐して利用することができる。
【００１９】
請求項４に係る発明によれば、請求項１乃至３に係る発明が奏する効果に加えて、従来のシールドフラットケーブルよりも特性インピーダンスを調整することができ、特性インピーダンスの変更を自由に設定することが可能になるので、高速伝送に対応が可能となる。
【図面の簡単な説明】
【００２０】
【図１】本発明の高速伝送が可能なシールド付きフラットケーブルの第１実施形態の構造断面図である。
【図２】第１参考例を示す高速伝送が可能なシールド付きフラットケーブルの構造断面図である。
【図３Ａ】本発明の高速伝送が可能なシールド付きフラットケーブルの第２実施形態の構造断面図である。
【図３Ｂ】第２参考例を示す高速伝送が可能なシールド付きフラットケーブルの構造断面図である。
【図４】第３参考例を示す高速伝送が可能なシールド付きフラットケーブルの構造断面図である。
【図５】第４参考例を示す高速伝送が可能なシールド付きフラットケーブルの構造断面図である。
【図６】本発明の第１実施形態の高速伝送が可能なシールド付きフラットケーブルを端末加工する際、シールド材を剥き出し、基本ユニット毎に分岐して内在するフラットケーブルを圧接型コネクタで一括圧接接続する場合の説明図である。
【図７Ａ】本発明の差動インピーダンスを示す図である。
【図７Ｂ】従来の差動インピーダンスを示す図である。
【図８】本発明と従来品のクロストーク比較結果を示す図である。
【図９Ａ】本発明のアイパターン（１ｍ  １Ｇｂｐｓ）を示す図である。
【図９Ｂ】従来のアイパターン（１ｍ  １Ｇｂｐｓ）を示す図である。
【図１０】従来のシールド形フラットケーブルの構造を示す断面図である。
【発明を実施するための形態】
【００２１】
以下、本発明の高速伝送が可能なシールド付きフラットケーブルの実施形態を添付図面を参照して詳細に説明する。
【００２２】
図１は、本発明の第１実施形態に係る高速伝送が可能なシールド付きフラットケーブルの構造断面図である。なお、以下に説明する本発明の高速伝送が可能なシールド付きフラットケーブルに係る各実施形態と参考例において、共通する特徴部分は、導体２の外周が外周絶縁体４で被覆された少なくとも１つの信号線Ｓ１と、導体２の外周が導電性樹脂５で被覆されて形成された複数のグラウンド線Ｇ１とが平面的に連接されて構成されたフラットケーブル６と、フラットケーブル６の上下に密着された外部ノイズに対するシールド材７、７とを備え、フラットケーブル７の幅方向両側にグラウンド線Ｇ１、Ｇ１がそれぞれ配置され、かつグラウンド線Ｇ１、Ｇ１が上下のシールド材７、７と電気的に接続されている構成を備えている点にある。
【００２３】
上記特徴部分の構成により、本発明の高速伝送が可能なシールド付きフラットケーブルは、フラットケーブル６の両側のグラウンド線Ｇ１、Ｇ１が上下のシールド材７、７に電気的に接続されることで外部ノイズに対してフラットケーブルの上下左右が絶縁されるため、シールド材７、７のみでフラットケーブル６が絶縁される。従って、従来に比べてフラットケーブルを外覆していた絶縁性のシースを省くことができる。また、シースがないので、フラットケーブル６に圧接型コネクタを端末加工する際、末端部分の上下のシールド材７、７の必要量を剥ぎ取るだけでよい。さらに、グラウンド線Ｇ１とシールド材７との電気的接続加工が不要であるから、従来のケーブルに比べて、取り扱いが容易であって作業時間を短縮できる。
【００２４】
［第１実施形態］
図１に示すように、第１実施形態に係る高速伝送が可能なシールド付きフラットケーブル１Ａは、導体２の外周が外周絶縁体４で被覆された信号線Ｓ１と、導体２の外周が導電性樹脂５で被覆されたグラウンド線Ｇ１とを有し、平衡伝送（ｂａｌａｎｃｅｄ  ｔｒａｎｓｍｉｓｓｉｏｎ）用として、中央部に２つの信号線Ｓ１、Ｓ１が並べて配置され、これらの両側にグラウンド線Ｇ１、Ｇ１がそれぞれ並べて配置されて基本ユニット（Ｇ１、Ｓ１、Ｓ１、Ｇ１）が構成されている。さらに、前記基本ユニットが複数回並列に並べて配置されると共に、隣接する信号線Ｓ１、Ｓ１の外周絶縁体４同士が接着または融着されてフラットケーブル６が形成されている。そして、フラットケーブル６の上下にシールド材７、７がそれぞれ設けられ、かつ密着されて両側のグラウンド線Ｇ１、Ｇ１が上下のシールド材７、７と電気的に接続されている。
【００２５】
なお、平衡伝送は、１本の信号線に対して２本の対等な信号線のペアを用いて、信号をその信号線ペアの間の電位差として送り、その信号は、差動信号（ｄｉｆｆｅｒｅｎｔｉａｌ  ｓｉｇｎａｌ）と呼ばれる。従って、平衡伝送は、高速で、長距離あるいは厳しい電磁環境のためのインターフェースとして、広く多用されている。
【００２６】
［第１参考例］
図２は、第１参考例に係る高速伝送が可能なシールド付きフラットケーブルの構造断面図である。図２に示すように、第１参考例に係る高速伝送が可能なシールド付きフラットケーブル１Ｂは、第１実施形態と同じ構造の信号線Ｓ１及びグラウンド線Ｇ１を用いており、平衡伝送用として、中央部に２つの信号線Ｓ１、Ｓ１が並べて配置され、これらの両側にグラウンド線Ｇ１、Ｇ１がそれぞれ並べて配置されて基本ユニットが構成されている。前記基本ユニットは、隣接する信号線Ｓ１、Ｓ１の外周絶縁体４同士が接着または融着されてフラットケーブル６が形成されている。そして、フラットケーブル６の上下にシールド材７、７がそれぞれ設けられ、かつ密着されて両側のグラウンド線Ｇ１、Ｇ１が上下のシールド材７、７と電気的に接続されている。
【００２７】
第１参考例に係る高速伝送が可能なシールド付きフラットケーブル１Ｂでは、さらに、互いに隣接する基本ユニット同士は、互いに隣接する基本ユニットに共通する１つの共通グラウンド線Ｇ１Ｋで連結されている点が、第１実施形態と異なっている。
【００２８】
ここで、導電性樹脂５としては、代表的なものとしては導電性ＰＶＣ（ポリ塩化ビニル）や導電性エラストマなどが挙げられ、一般的に、１０7Ω・ｃｍ以下のものをいう。本発明では導電性ＰＶＣを使用した。外部ノイズに対するシールド材７としては、代表的な例として、銅、アルミ、銀、ニッケルなどが挙げられるが、本発明では、銅テープを使用した。更に、外周絶縁体４としては、一般的には、通常誘電率εが３．０程度のもので、コンパウンドの組成により、大きく変わるが、代表的な例として、ＰＶＣを使用して行った。なお、本発明の高速伝送が可能なシールド付きフラットケーブル１の構成表を下記の表１に示す。
【００２９】
【表１】
0005535901.tif 000002
【００３０】
［第２実施形態］
図３Ａは、本発明の第２実施形態に係る高速伝送が可能なシールド付きフラットケーブルの構造断面図である。図３Ａに示すように、第２実施形態に係る高速伝送が可能なシールド付きフラットケーブル１Ｃは、導体２の外周が外周絶縁体４で被覆された信号線Ｓ１と、導体２の外周が導電性樹脂５で被覆されたグラウンド線Ｇ１とを有し、不平衡伝送（ｕｎｂａｌａｎｃｅｄ  ｔｒａｎｓｍｉｓｓｉｏｎ）用として、中央部に配置した信号線Ｓ１の両側にそれぞれ並べてグラウンド線Ｇ１、Ｇ１が配置されて基本ユニット（Ｇ１、Ｓ１、Ｇ１）が構成されている。さらに、前記基本ユニットが複数回並列に並べて配置されてフラットケーブル６が形成され、フラットケーブル６の上下にシールド材７、７が設けられ、かつ密着されて両側のグラウンド線Ｇ１、Ｇ１が上下のシールド材７、７と電気的に接続されている。
【００３１】
なお、不平衡伝送は、それぞれの信号に対して１本の信号線を用いて、信号をその信号のグラウンドに対する電圧として送り、その信号は、シングルエンド（ｓｉｎｇｌｅ  ｅｎｄ）信号と呼ばれる。
【００３２】
［第２参考例］
図３Ｂに示すように、第２参考例に係る高速伝送が可能なシールド付きフラットケーブル１Ｄは、第２実施形態と同じ構造の信号線Ｓ１及びグラウンド線Ｇ１を用いており、不平衡伝送用として、中央部に配置した信号線Ｓ１の両側にそれぞれ並べてグラウンド線Ｇ１、Ｇ１が配置されて基本ユニットが構成されている。さらに、前記基本ユニットが複数回並列に並べて配置されてフラットケーブル６が形成され、フラットケーブル６の上下にシールド材７、７が設けられ、かつ密着されて両側のグラウンド線Ｇ１、Ｇ１が上下のシールド材７、７と電気的に接続されている。
【００３３】
第２参考例に係る高速シールド形フラットケーブル１Ｄでは、さらに、互いに隣接する基本ユニット同士は、互いに隣接する基本ユニットに共通する１つの共通グラウンド線Ｇ１Ｋで連結されている点が、第２実施形態と異なっている。先に説明した第２実施形態と同様、共通グラウンド線Ｇ１Ｋを使用した。ここで、外周絶縁体４としては、第１実施形態と同様、ＰＶＣを使用した。
【００３４】
第１及び第２実施形態における伝送モード（Ｇ１Ｓ１Ｓ１Ｇ１またはＧ１Ｓ１Ｇ１）の組み合わせは、並列のコア（Ｇ１線またはＳ１線）の組み合わせで如何様にも並列化が可能であるので、伝送モードに応じて自由に設定が可能になる。
【００３５】
［第３参考例］
図４は、第３参考例に係る高速伝送が可能なシールド付きフラットケーブルの構造断面図である。第３参考例に係る高速伝送が可能なシールド付きフラットケーブル１Ｅは、フラットケーブルの信号線とグランド線の配列は、第１参考例と同様であるが、信号線の構造が第１参考例と異なっている。第３参考例における信号線Ｓ２は、導体２と外周絶縁体４との間に、外周絶縁体４とは誘電率が異なる中間絶縁体３が形成されたものである。中間絶縁体３は特性インピーダンスを調整するためのものである。
【００３６】
ここで、外周絶縁体４とは異なる誘電率の低誘電率の中間絶縁体３としては、代表的な例として、発泡ＰＥ（ポリエチレン）やＰＴＦＥ樹脂（４フッ化エチレン）などが挙げられ、また、高誘電率絶縁体としては、ＰＶＤＦ（ポリフッ化ビニリデン）などが挙げられるが、本発明では、低誘電率絶縁体の場合は、ＰＴＦＥ樹脂を使用し、高誘電率絶縁体の場合は、ＰＶＤＦを使用した。
【００３７】
なお、フラットケーブルの末端に接続する圧接型コネクタの制約から導体径と信号ピッチが決められている。このような、制約条件で、特性インピーダンスは、（Ｌ／Ｃ）1/2で表される。ここで、Ｌは、導体径でほぼ一定である。従って、特性インピーダンスを調整するには、Ｃの値を調整するしかない。このために絶縁体の誘電率の組み合わせができることが必要になる。
【００３８】
第３参考例では、信号線として、導体２の上に外周絶縁体４とは誘電率の異なる中間絶縁体３を施し、その上に外周絶縁体４としてＰＶＣなどの通常の絶縁体を被覆した構造とすることにより、個々のコアを接着または融着により接続したフラットケーブルを製造することが可能になる。これにより、従来のシールドフラットケーブルよりも特性インピーダンスを調整することができ、特性インピーダンスの変更を自由に設定することが可能になるので、高速伝送に対応が可能になる。
【００３９】
［第４参考例］
図５は、第４参考例に係る高速伝送が可能なシールド付きフラットケーブルの構造断面図である。第４参考例に係る高速伝送が可能なシールド付きフラットケーブル１Ｆは、図５に示すように、フラットケーブルの信号線とグランド線の配列は、第２参考例と同様であるが、信号線の構造が第２参考例と異なっている。第４参考例における信号線Ｓ２は、第３参考例と同じく、導体２と外周絶縁体４との間に、外周絶縁体４とは誘電率が異なる中間絶縁体３が形成されたものである。中間絶縁体３は特性インピーダンスを調整するためのものである。
【００４０】
次に、各実施形態及び各参考例において、シールド材７を密着させるには、熱ロールで接着させた場合の方が好ましいが、それ以外の真空引きによる方法でも構わない。このような方法で密着（接着や真空引きだけでなく、融着も可）させているため、シールド材７を引っ張ることにより、シールド材７を容易に剥ぎ取ることが可能になる。
【００４１】
図６は、第１実施形態の高速伝送が可能なシールド付きフラットケーブルを端末加工する場合の説明図である。本発明は、このような構造であるので、図６に示すように、高速伝送が可能なシールド付きフラットケーブル１Ａを端末加工する際、シールド材７を剥ぎ取り、基本ユニット毎に隣接して接着または融着している導電性樹脂５を長手方向に引き裂いて分岐し、内在するフラットケーブル６を圧接型コネクタで一括圧接接続することが可能になる。
【００４２】
フラットケーブル６に圧接型コネクタを端末加工する際、引き裂いて分岐した部分に圧接型コネクタで接続すればよい。また、残された部分の両方のグラウンド線Ｇ１とシールド材７、７の電気的接続加工をしなくて済むので、従来のケーブルに比べて、取り扱いが容易であって作業時間を短縮でき、基本ユニットの整数倍単位でケーブルを分岐して利用することができる。なお、図６に示すように、基本ユニット毎に分岐し、基本ユニット毎に圧接型コネクタで接続する。
【００４３】
なお、圧接型コネクタとしては、例えば、特公平１−５００７８号公報、特許第３００５８１３号公報、特開平１１−２８８７４９号公報等に開示されているような従来公知のものを使用することができる。
【００４４】
本発明の高速伝送が可能なシールド付きフラットケーブルは、図６から明らかなように、基本ユニットＧＳＳＧまたは基本ユニットＧＳＧの両側の導電性樹脂を使用したグラウンド線Ｇ１と上下のシールド材７、７で覆った構造であるので、従来よりもシールド材の必要量が容易に剥き出せ更に、グラウンド線Ｇ１とシールド材７，７との電気的接続加工が不要になるので、従来のケーブルに比べて、取り扱いが容易であるだけでなく、内在するフラットケーブルに圧接型コネクタで一括圧接接続できるので、端末処理作業に要する時間を大幅に削減することが可能となり、高周波特性も大幅に改善される。
【００４５】
以上に説明したように、基本ユニットＧ１Ｓ１Ｓ１Ｇ１または基本ユニットＧ１Ｓ１Ｇ１の各基本ユニットを上下の２枚のシールド材を導電性樹脂を使用したグラウンド線を介して接続することで、複数のシールド２心または同軸線を容易に構成できる。なお、従来では、このような複数のシールド２心または同軸線をコネクタ付けする際には、各々のシールドを剥くなどのシールド処理をしてから、コネクタ付けをする必要があったが、本発明のフラットケーブルはグラウンド線を介して長手方向に上下のシールド材７、７が接続されているので、シールド材７の必要量を容易に剥き出すことが可能になり、容易に圧接することが可能になる。
【００４６】
【００４７】
次に、本発明の高速伝送が可能なシールド付きフラットケーブルと従来のシールドなしフラットケーブルについて、差動インピーダンスについて、比較検討を行った。図７Ａに示すように、本発明の高速伝送が可能なシールド付きフラットケーブルの差動インピーダンスのばらつきは、４．６Ωであるのに対して、図７Ｂに示すように従来のシールドなしケーブルは、１２．６Ωで、本発明の差動インピーダンスのばらつきが小さく、従来に比べて良好な結果が得られていることがわかった。
【００４８】
次に、本発明の高速伝送が可能なシールド付きフラットケーブルと、従来のシールドなしフラットケーブルと、従来のシールドなしケーブルにシールドを施した従来のシールドありフラットケーブルとの３種類について、クロストークの比較検討結果を図８に示す。本発明の高速伝送が可能なシールド付きフラットケーブルは、従来のシールドなしケーブルや従来のシールドありケーブルに比較して、特に、低周波数の領域で良好な結果を示していることがわかった。
【００４９】
最後に、本発明の高速伝送が可能なシールド付きフラットケーブルと従来のシールドなしフラットケーブルのアイパターン（１ｍ  １Ｇｂｐｓ）についての比較検討を行った結果を図９に示す。図９Ａに示すように、本発明の高速伝送が可能なシールド付きフラットケーブルは、図９Ｂに示す従来のシールドなしフラットケーブルと比較して、ジッタの少ないアイパターン波形であり、良好な結果を示していることがわかった。
【００５０】
本発明の場合、代表的なケーブル構造として、例えば、導体の外周に外周絶縁体とは異なる誘電率の絶縁体を施し、さらにその周囲に外周絶縁体を被覆して２層構造とした信号線で説明したが、変形例として２層以上の構造にしたものでも構わない。また、隣接する絶縁体同士を接着または融着する方法としては、熱融着による方法が一般的であるが、接着による方法でも構わず、これに限るものではない。このように本発明は各種の変形を含むものであることはいうまでもない。
【産業上の利用可能性】
【００５１】
本発明の高速伝送が可能なシールド付きフラットケーブルは、これ以外にも幅広い応用展開が可能になる。
【図１】
0005535901.tif 000003
【図２】
0005535901.tif 000004
【図３Ａ】
0005535901.tif 000005
【図３Ｂ】
0005535901.tif 000006
【図４】
0005535901.tif 000007
【図５】
0005535901.tif 000008
【図６】
0005535901.tif 000009
【図７Ａ】
0005535901.tif 000010
【図７Ｂ】
0005535901.tif 000011
【図８】
0005535901.tif 000012
【図９Ａ】
0005535901.tif 000013
【図９Ｂ】
0005535901.tif 000014
【図１０】
0005535901.tif 000015